(57)【要約】      （修正有）【課題】小秒針のレイアウトの自由度を向上できる時計用ムーブメントを提供する。【解決手段】時計用ムーブメント２は、香箱車と、香箱車に連動して回転する複数の歯車を備える輪列と、輪列に連動して回転するガンギ車３５と、ガンギ車３５に連動して回転し、小秒針が取り付けられる小秒車３６と、を備える。そして、ガンギ車３５は、輪列の歯車と噛み合う第１カナ３５２、および、小秒車３６の歯車と噛み合う第２カナ３５３を備える。【選択図】図４
2018096816.tif 000002
【特許請求の範囲】
【請求項１】
香箱車と、
前記香箱車に連動して回転する複数の歯車を備える輪列と、
前記輪列に連動して回転するガンギ車と、
前記ガンギ車に連動して回転し、小秒針が取り付けられる小秒車と、を備え、
前記ガンギ車は、前記輪列の歯車と噛み合う第１カナ、および、前記小秒車の歯車と噛み合う第２カナを備える
ことを特徴とする時計用ムーブメント。
【請求項２】
請求項１に記載の時計用ムーブメントにおいて、
前記第１カナおよび前記第２カナは別体で設けられている
ことを特徴とする時計用ムーブメント。
【請求項３】
請求項１に記載の時計用ムーブメントにおいて、
前記第１カナおよび前記第２カナは一体で設けられている
ことを特徴とする時計用ムーブメント。
【請求項４】
請求項１から請求項３のいずれか１項に記載の時計用ムーブメントにおいて、
前記第１カナの歯数および前記第２カナの歯数は互いに異なる
ことを特徴とする時計用ムーブメント。
【請求項５】
請求項４に記載の時計用ムーブメントにおいて、
前記第２カナの歯数は、前記第１カナの歯数よりも多い
ことを特徴とする時計用ムーブメント。
【請求項６】
請求項１から請求項５のいずれか１項に記載の時計用ムーブメントにおいて、
平面視において、前記ガンギ車の回転軸は、前記第１カナと噛み合う前記輪列の歯車の回転軸、および、前記小秒車の回転軸の間に位置する
ことを特徴とする時計用ムーブメント。
【請求項７】
請求項１から請求項６のいずれか１項に記載の時計用ムーブメントと、
前記小秒車に取り付けられた前記小秒針と、を備える
ことを特徴とする機械式時計。
【請求項８】
請求項７に記載の機械式時計において、
前記小秒車の回転軸は、文字板の平面中心に対して６時方向側に位置している
ことを特徴とする機械式時計。
【発明の詳細な説明】
【技術分野】
【０００１】
本発明は、時計用ムーブメントおよび機械式時計に関する。
【背景技術】
【０００２】
機械式時計は、一般的に、香箱車、二番車、三番車および四番車と、これらの車の回転速度を制御するための脱進機および調速機とを備えている。機械式時計の中には、これらの車に加えて、小秒針が取り付けられる小秒車を備えた時計がある（例えば、特許文献１参照）。
このような時計では、従来、四番車のカナは三番車の歯車に噛み合い、四番車は三番車に連動して回転する。そして、小秒車のカナも三番車の歯車に噛み合い、小秒車は三番車に連動して回転する。
【先行技術文献】
【特許文献】
【０００３】
【特許文献１】特開２０１４−１１２１０１号公報
【発明の概要】
【発明が解決しようとする課題】
【０００４】
しかしながら、上記時計では、三番車の回転軸から小秒車の回転軸までの距離が、三番車の回転軸から四番車の回転軸までの距離と等しくなる位置にしか小秒車の回転軸を設けることができない。このため、小秒針のレイアウトの自由度が制限されるという問題がある。
【０００５】
本発明の目的は、小秒針のレイアウトの自由度を向上できる時計用ムーブメントおよび機械式時計を提供することにある。
【課題を解決するための手段】
【０００６】
本発明の時計用ムーブメントは、香箱車と、前記香箱車に連動して回転する複数の歯車を備える輪列と、前記輪列に連動して回転するガンギ車と、前記ガンギ車に連動して回転し、小秒針が取り付けられる小秒車と、を備え、前記ガンギ車は、前記輪列の歯車と噛み合う第１カナ、および、前記小秒車の歯車と噛み合う第２カナを備えることを特徴とする。
【０００７】
本発明によれば、第２カナの歯数および小秒車の歯車の歯数の比が、第１カナの歯数および第１カナに噛み合う輪列の歯車の歯数の比と等しくなる範囲で、第２カナの歯数を任意の数に設定することで、小秒車の歯車のピッチ円直径を任意の大きさに設定できる。これにより、ガンギ車の回転軸から任意の位置に小秒車の回転軸を設けることができる。従って、小秒車が噛み合う歯車の回転軸から一定の位置にしか小秒車の回転軸を設けることができない場合と比べて、小秒針のレイアウトの自由度を向上できる。
【０００８】
本発明の時計用ムーブメントにおいて、前記第１カナおよび前記第２カナは別体で設けられていることが好ましい。
【０００９】
本発明によれば、第１カナおよび第２カナを一体で設ける場合と比べて、第１カナおよび第２カナを容易に製造できる。
【００１０】
本発明の時計用ムーブメントにおいて、前記第１カナおよび前記第２カナは一体で設けられていることが好ましい。
【００１１】
本発明によれば、ガンギ車の回転軸と、第１カナと、第２カナとを一体で形成できるため、例えば、第１カナおよび第２カナが別体で設けられており、第１カナが設けられたガンギ車の回転軸に、第２カナを取り付ける場合と比べて、ガンギ車の組み立て工程を簡略化できる。
【００１２】
本発明の時計用ムーブメントにおいて、前記第１カナの歯数および前記第２カナの歯数は互いに異なることが好ましい。
【００１３】
本発明によれば、第２カナの歯数および小秒車の歯車の歯数の比が、第１カナの歯数および第１カナに噛み合う輪列の歯車の歯数の比と等しくなる範囲で、第２カナの歯数を任意の数に設定することができる。これにより、小秒車の歯車のピッチ円直径を任意の大きさに設定でき、ガンギ車の回転軸から任意の位置に小秒車の回転軸を設けることができる。
【００１４】
本発明の時計用ムーブメントにおいて、前記第２カナの歯数は、前記第１カナの歯数よりも多いことが好ましい。
【００１５】
本発明によれば、小秒車の歯車のピッチ円直径は、第１カナに噛み合う輪列の歯車のピッチ円直径よりも大きくなるため、ガンギ車の回転軸から小秒車の回転軸までの距離を、前記輪列の歯車の回転軸からガンギ車の回転軸までの距離よりも長くできる。
【００１６】
本発明の時計用ムーブメントにおいて、平面視において、前記ガンギ車の回転軸は、前記第１カナと噛み合う前記輪列の歯車の回転軸、および、前記小秒車の回転軸の間に位置することが好ましい。
【００１７】
すなわち、本発明では、平面視において、第１カナと噛み合う輪列の歯車の回転軸、ガンギ車の回転軸、および小秒車の回転軸は、同じ直線上に位置している。
小秒針の回転軸は、文字板の平面中心からできるだけ離れた位置に設けることが、デザイン上好ましい場合がある。一方、小秒車の歯車のピッチ円直径は、少なくとも小秒車が他の部品と干渉しない大きさに設定する必要がある。
本発明によれば、平面視において、第１カナと噛み合う輪列の歯車の回転軸、ガンギ車の回転軸、および小秒車の回転軸が、同じ直線上に位置していない場合と比べて、次の効果を得ることができる。すなわち、第１カナに噛み合う輪列の歯車の回転軸を文字板の平面中心に設けた際、小秒車の歯車のピッチ円直径が一定の場合に、小秒車の回転軸を、文字板の平面中心から遠い位置に設けることができる。
【００１８】
本発明の機械式時計は、上記時計用ムーブメントと、前記小秒車に取り付けられた前記小秒針と、を備えることを特徴とする。
本発明によれば、上記時計用ムーブメントと同様に、小秒針のレイアウトの自由度を向上できる。
【００１９】
本発明の機械式時計において、前記小秒車の回転軸は、文字板の平面中心に対して６時方向側に位置していることが好ましい。
本発明によれば、文字板の平面中心に対して６時方向側に、小秒針の表示領域が設けられたデザインの時計にも対応できる。
【図面の簡単な説明】
【００２０】
【図１】本発明に係る実施形態における時計の平面図。
【図２】実施形態におけるムーブメントの平面図。
【図３】実施形態におけるムーブメントの要部の平面図。
【図４】実施形態におけるムーブメントの要部の断面図。
【発明を実施するための形態】
【００２１】
以下、本発明に係る実施形態について、図面に基づいて説明する。
［時計の構成］
図１は、機械式時計である時計１を示す平面図である。
時計１は、円筒状の外装ケース１１を備え、外装ケース１１の内周側に、円盤状の文字板１２が配置されている。外装ケース１１の二つの開口のうち、表面側の開口は、カバーガラス１３で塞がれており、裏面側の開口は図示しない裏蓋で塞がれている。
【００２２】
また、時計１は、外装ケース１１内に収容された時計用ムーブメントとしてのムーブメント２（図２参照）、小秒針２１、分針２２、時針２３、日車２４を備えている。
各指針２１〜２３は、文字板１２の表面側に配置され、ムーブメント２は、文字板１２の裏面側に配置されている。各指針２１〜２３は、ムーブメント２が備える回転軸３６１，７１２，７２２に取り付けられ、ムーブメント２により駆動される。分針２２、時針２３は、文字板１２の平面中心に設けられた回転軸７１２，７２２に取り付けられ、小秒針２１は、文字板１２の平面中心に対して６時方向側に設けられた回転軸３６１に取り付けられている。
【００２３】
また、文字板１２には、カレンダー小窓１２Ａが設けられており、カレンダー小窓１２Ａから、日車２４の数字が視認可能となっている。日車２４の数字は、年月日の「日」を表す。
外装ケース１１の側面には、リューズ１４が設けられている。リューズ１４が操作されることにより、操作に応じた入力を行うことができる。
【００２４】
［ムーブメントの構成］
図２は、時計１のムーブメント２を裏蓋側から見た平面図である。図２における図面上側は、３時方向側であり、図面下側は、９時方向側であり、図面右側は、１２時方向側であり、図面左側は、６時方向側である。なお、図２において、輪列受けや、回転錘５１（図４参照）、ベアリング５２（図４参照）などについては、図示を省略している。図３は、ムーブメント２の要部の平面図である。図４は、ムーブメント２の要部の断面図である。図４における図面上側は、裏蓋側であり、図面下側は、文字板１２側である。
ムーブメント２は、図２に示すように、基本輪列３０と、小秒車３６と、アンクル３７と、テンプ３８と、手動巻上機構４０と、自動巻上機構５０とを備えている。
【００２５】
［基本輪列］
基本輪列３０は、図２に示すように、地板６１の裏蓋側に設けられた、香箱車３１、二番車３２、三番車３３、四番車３４、ガンギ車３５、アンクル３７、テンプ３８を備えている。ここで、ガンギ車３５およびアンクル３７は脱進機を構成し、テンプ３８は調速機を構成する。
【００２６】
［香箱車］
香箱車３１は、平面視において文字板１２の平面中心に対して１時方向側に設けられた香箱真３１１と、香箱歯車３１２と、香箱蓋３１３と、香箱歯車３１２および香箱蓋３１３で囲まれた空間に収納された図示しないゼンマイとを備えている。ゼンマイは、後述する手動巻上機構４０または自動巻上機構５０によって香箱真３１１が回転されることで巻き上げられる。香箱歯車３１２は、巻き上げられたゼンマイが巻き戻されると、香箱真３１１を軸にして回転する。
【００２７】
［二番車］
二番車３２は、平面視において回転軸３２３が文字板１２の平面中心に対して１０時方向側に設けられている。二番車３２は、香箱歯車３１２に噛み合う二番カナ３２１と、二番歯車３２２とを備え、香箱歯車３１２に連動して回転する。回転軸３２３と二番カナ３２１とは一体で形成されている。
【００２８】
［三番車］
三番車３３は、平面視において回転軸３３３が文字板１２の平面中心に対して１０時方向側に設けられている。また、三番車３３の回転軸３３３は、二番車３２の回転軸３２３に対して、文字板１２の平面中心側に位置している。三番車３３は、二番歯車３２２に噛み合う三番カナ３３１と、三番歯車３３２とを備え、二番車３２に連動して回転する。回転軸３３３と三番カナ３３１とは一体で形成されている。
本実施形態では、三番歯車３３２のモジュールは、０．１０１４ｍｍであり、歯数は「６０」である。
ここで、モジュールは、歯車の歯の大きさを表すもので、ピッチ円直径を、歯数で割った値である。値が大きいほど、歯が大きい。
ピッチ円は、噛み合う２つの歯車の基礎円の共通接線と、当該２つの歯車の回転中心間を結ぶ線分との交点（ピッチ点）を通り、歯車の回転中心を中心とする円である。このピッチ円の直径が、ピッチ円直径である。
【００２９】
［四番車］
四番車３４は、平面視において回転軸３４３が文字板１２の平面中心に設けられている。四番車３４は、図２〜図４に示すように、三番歯車３３２に噛み合う四番カナ３４１と、四番歯車３４２とを備え、三番車３３に連動して回転する。回転軸３４３と四番カナ３４１とは一体で形成されている。
本実施形態では、四番カナ３４１のモジュールは、三番歯車３３２と同じ０．１０１４ｍｍであり、歯数は「９」である。また、三番車３３の回転軸３３３と四番車３４の回転軸３４３との距離Ｄ１（図４参照）は、３．５０ｍｍである。
また、四番歯車３４２のモジュールは、０．０６０６ｍｍであり、歯数は「９６」である。
このように、本実施形態では、二番車３２、三番車３３、四番車３４は、香箱車３１に連動して回転する輪列を構成する。
【００３０】
ここで、地板６１の文字板１２側には、平面視において文字板１２の平面中心に回転軸（指針軸）７１２，７２２が設けられた分車７１および筒車７２（図４参照）と、図示しない日の裏車とが設けられている。
分車７１は、前記回転軸７１２、分歯車７１１、回転軸７１２と一体で形成された分カナ７１３を備える。分歯車７１１は、三番カナ３３１に噛み合い、分車７１は、三番車３３に連動して回転する。日の裏車の歯車は、分カナ７１３に噛み合い、日の裏車は、分車７１に連動して回転する。筒車７２は、前記回転軸７２２、および、回転軸７２２と一体で形成された筒歯車７２１を備える。筒歯車７２１は、日の裏車のカナに噛み合い、筒車７２は、日の裏車に連動して回転する。
なお、分車７１の回転軸７１２には、分針２２が取り付けられ、筒車７２の回転軸７２２には、時針２３が取り付けられる。
【００３１】
［ガンギ車］
ガンギ車３５は、平面視において文字板１２の平面中心に対して６時方向側に設けられた回転軸３５１と、第１カナとしての第１ガンギカナ３５２（図３、図４参照）と、第２カナとしての第２ガンギカナ３５３（図３、図４参照）と、ガンギ歯車３５４とを備えている。回転軸３５１と第１ガンギカナ３５２とは一体で形成されている。第２ガンギカナ３５３は、第１ガンギカナ３５２とは別体で設けられ、第１ガンギカナ３５２の文字板１２側に、所定間隔離間して設けられている。すなわち、第１ガンギカナ３５２および第２ガンギカナ３５３は別部品で構成されている。ガンギ歯車３５４は、第１ガンギカナ３５２および第２ガンギカナ３５３とは別部品で構成され、第２ガンギカナ３５３の文字板１２側に設けられている。なお、ガンギ車３５は、第１ガンギカナ３５２が設けられた回転軸３５１に、第２ガンギカナ３５３、ガンギ歯車３５４が取り付けられることで組み立てられる。
【００３２】
第１ガンギカナ３５２は、四番歯車３４２と噛み合い、ガンギ車３５は、四番車３４に連動して回転する。
本実施形態では、第１ガンギカナ３５２のモジュールは、四番歯車３４２と同じ０．０６０６ｍｍであり、歯数は「８」である。また、四番車３４の回転軸３４３とガンギ車３５の回転軸３５１との距離Ｄ２（図４参照）は、３．１５ｍｍである。
第２ガンギカナ３５３は、図２〜図４の例では、第１ガンギカナ３５２よりも歯数が多く、かつ、ピッチ円直径が大きい。第２ガンギカナ３５３のモジュールは、０．０７４６ｍｍであり、歯数は「１０」である。
【００３３】
［アンクルおよびテンプ］
図２に示すように、アンクル３７は、ガンギ歯車３５４に噛み合う２つの爪石を備え、テンプ３８の回転往復運動に応じて、ガンギ歯車３５４を送り、ガンギ車３５の回転速度を制御する。これにより、香箱車３１、二番車３２、三番車３３、四番車３４、小秒車３６の回転速度が制御される。
【００３４】
［小秒車］
小秒車３６は、平面視において文字板１２の平面中心に対して６時方向側に設けられ、小秒針２１が取り付けられる回転軸（指針軸）３６１を備える。小秒車３６の回転軸３６１は、ガンギ車３５の回転軸３５１に対して、文字板１２の平面中心側とは反対側に位置している。そして、小秒車３６の回転軸３６１は、文字板１２の平面中心とガンギ車３５の回転軸３５１とを結ぶ直線上に位置している。すなわち、平面視において、ガンギ車３５の回転軸３５１は、四番車３４の回転軸３４３および小秒車３６の回転軸３６１の間に位置している。
また、小秒車３６は、第２ガンギカナ３５３に噛み合う小秒歯車３６２を備え、ガンギ車３５に連動して回転する。
図２〜図４の例では、小秒歯車３６２のピッチ円直径は、四番歯車３４２のピッチ円直径よりも大きい。小秒歯車３６２のモジュールは、第２ガンギカナ３５３と同じ０．０７４６ｍｍであり、歯数は「１２０」である。また、ガンギ車３５の回転軸３５１と小秒車３６の回転軸３６１との距離Ｄ３（図４参照）は、４．８５ｍｍである。
【００３５】
このような時計１では、四番車３４は、１分間で１回転し、ガンギ車３５は、四番車３４が１分間で１回転する間に１２回転し、小秒車３６は、ガンギ車３５が１分間で１２回転する毎に１回転する。
【００３６】
なお、図２〜図４の例では、ガンギ車３５の回転軸３５１から小秒車３６の回転軸３６１までの距離Ｄ３が、四番車３４の回転軸３４３からガンギ車３５の回転軸３５１までの距離Ｄ２よりも長いが、距離Ｄ３は、任意の長さに設定してよい。すなわち、距離Ｄ３は、距離Ｄ２より短くてもよいし、距離Ｄ２と同じでもよい。
距離Ｄ３を距離Ｄ２よりも短くする場合は、第２ガンギカナ３５３の歯数を第１ガンギカナ３５２の歯数よりも少なくし、かつ、第２ガンギカナ３５３のモジュールを第１ガンギカナ３５２のモジュールよりも小さくして、小秒歯車３６２のピッチ円直径を、四番歯車３４２のピッチ円直径よりも小さくすればよい。
また、距離Ｄ３を距離Ｄ２と同じにする場合は、第２ガンギカナ３５３の歯数およびモジュールを、第１ガンギカナ３５２の歯数およびモジュールと同じにし、小秒歯車３６２のピッチ円直径を、四番歯車３４２のピッチ円直径と同じにすればよい。
すなわち、時計１では、第２ガンギカナ３５３の歯数は、第２ガンギカナ３５３の歯数および小秒歯車３６２の歯数の比と、第１ガンギカナ３５２の歯数および四番歯車３４２の歯数の比とが等しくなる範囲で、任意の数に設定できる。
【００３７】
［手動巻上機構］
図２に示すように、手動巻上機構４０は、巻真４１、きち車４２、図示しないつづみ車、丸穴車４４、角穴伝え車４５，４６，４７、角穴車４８を備えている。
つづみ車には、回転中心を通る四角い穴が設けられており、この穴に巻真４１が挿通している。これにより、つづみ車は、巻真４１と一体で回転する。
きち車４２には、回転中心を通る円形の穴が設けられており、この穴に巻真４１が回転可能に挿通している。巻真４１が、ムーブメント２の中心方向に押し込まれた状態（０段位置）にある場合、きち車４２は、つづみ車と噛み合い、つづみ車に連動して回転する。
【００３８】
丸穴車４４は、きち車４２に噛み合い、きち車４２に連動して回転する。丸穴車４４が回転すると、角穴伝え車４５，４６，４７が回転し、角穴車４８が回転する。角穴車４８が回転すると、香箱真３１１が角穴車４８と一体で回転し、ゼンマイが巻き上げられる。
このような手動巻上機構４０によれば、ユーザーがリューズ１４を回転させることで、ゼンマイを巻き上げることができる。
【００３９】
［自動巻上機構］
自動巻上機構５０は、回転錘５１（図４参照）、ベアリング５２（図４参照）、偏心車５３、爪レバー５４、伝え車５５を備える。
回転錘５１は、平面視において、ベアリング５２の回転軸を中心とする半円形状を有している。回転錘５１はベアリング５２の外輪５２１に取り付けられおり、外輪５２１は、回転錘５１と一体で回転する。
偏心車５３は、偏心歯車５３１と、偏心軸とを備えている。偏心歯車５３１は、ベアリング５２の外輪５２１の外周に設けられた回転錘カナ５２２と噛み合い、偏心車５３は、回転錘５１に連動して回転する。
【００４０】
爪レバー５４は、伝え車５５に引っ掛かる引き爪および押し爪を備えており、偏心車５３の偏心軸に取り付けられている。爪レバー５４は、偏心車５３の回転に連動して、伝え車５５に近づく方向および遠ざかる方向に進退運動する。
伝え車５５は、爪レバー５４の引き爪および押し爪が引っ掛かる伝え歯車５５１と、角穴車４８に噛み合う伝えカナ５５２とを備えている。伝え車５５は、爪レバー５４の進退運動に連動して回転する。そして、角穴車４８は、伝え車５５に連動して回転する。角穴車４８が回転すると、香箱真３１１が角穴車４８と一体で回転し、ゼンマイが巻き上げられる。
このような自動巻上機構５０によれば、例えば、ユーザーが腕に時計１を装着した状態で腕を振り、回転錘５１を揺動させることで、ゼンマイを巻き上げることができる。
【００４１】
［実施形態の作用効果］
時計１によれば、第２ガンギカナ３５３の歯数および小秒歯車３６２の歯数の比と、第１ガンギカナ３５２の歯数および四番歯車３４２の歯数の比とが等しくなる範囲で、第２ガンギカナ３５３の歯数を任意の数に設定することで、小秒歯車３６２のピッチ円直径を任意の大きさに設定できる。これにより、ガンギ車３５の回転軸３５１から任意の位置に小秒車３６の回転軸３６１を設けることができる。従って、小秒車３６が噛み合う歯車の回転軸から一定の位置にしか小秒車３６の回転軸３６１を設けることができない場合と比べて、小秒針２１のレイアウトの自由度を向上できる。また、伝え車などを新たに設ける必要がないため、歯車の数が増えることもない。
【００４２】
また、例えば、三番歯車３３２に小秒車３６のカナが噛み合う構成では、平面視において、小秒車３６のカナが四番歯車３４２に重ならないように、小秒車３６を配置させる必要がある。これに対して、時計１では、小秒歯車３６２は、四番歯車３４２が噛み合う第１ガンギカナ３５２とは軸方向における位置が異なる第２ガンギカナ３５３に噛み合っているため、平面視において、小秒車３６を、四番車３４と重なる位置に配置させることもできる。
【００４３】
第１ガンギカナ３５２および第２ガンギカナ３５３は別体で設けられているため、第１ガンギカナ３５２および第２ガンギカナ３５３が一体で設けられている場合と比べて、第１ガンギカナ３５２および第２ガンギカナ３５３を容易に製造できる。
また、例えば、小秒針２１がなく、第２ガンギカナ３５３が設けられていないガンギ車を備える時計を製造する場合は、ガンギ車に第２ガンギカナ３５３を取り付けなければよいため、ガンギ車の部品を新たに製造する必要がない。
【００４４】
小秒車３６の回転軸３６１は、文字板１２の平面中心からできるだけ離れた位置に設けることが、デザイン上好ましい場合がある。一方、小秒歯車３６２のピッチ円直径は、少なくとも小秒車３６が他の部品と干渉しない大きさに設定する必要がある。
時計１では、平面視において、四番車３４の回転軸３４３、ガンギ車３５の回転軸３５１、および小秒車３６の回転軸３６１は同じ直線上に位置している。このため、平面視において、回転軸３４３、回転軸３５１および回転軸３６１が同じ直線上に位置していない場合と比べて、次の効果を得ることができる。すなわち、小秒歯車３６２のピッチ円直径が一定の場合に、小秒車３６の回転軸３６１を、文字板１２の平面中心から遠い位置に設けることができる。
【００４５】
［他の実施形態］
なお、本発明は前述の実施形態に限定されるものではなく、本発明の目的を達成できる範囲での変形、改良等は本発明に含まれるものである。
【００４６】
前記実施形態では、ガンギ車３５の第１ガンギカナ３５２に噛み合う車は、四番車３４であるが、本発明はこれに限定されない。すなわち、第１ガンギカナ３５２に噛み合う車は、香箱車３１に連動して回転し、ガンギ車３５を所定の速度で駆動させることができる車であればよい。
【００４７】
前記実施形態では、ガンギ車３５の回転軸３５１から小秒車３６の回転軸３６１までの距離Ｄ３と、四番車３４の回転軸３４３からガンギ車３５の回転軸３５１までの距離Ｄ２とを異ならせる場合、第２ガンギカナ３５３の歯数およびモジュールの両方を、第１ガンギカナ３５２の歯数およびモジュールとは異なる値に設定しているが、本発明はこれに限定されない。すなわち、少なくとも第２ガンギカナ３５３の歯数およびモジュールのいずれかを第１ガンギカナ３５２とは異なる値に設定し、小秒歯車３６２のピッチ円直径を、四番歯車３４２のピッチ円直径と異なる長さに設定してもよい。ただし、歯数およびモジュールの両方を異なる値に設定した方が、小秒歯車３６２と四番歯車３４２とのピッチ円直径の差を大きくできる。
【００４８】
前記実施形態では、第１ガンギカナ３５２および第２ガンギカナ３５３は別体で設けられているが、本発明はこれに限定されない。すなわち、第１ガンギカナ３５２および第２ガンギカナ３５３は一体で設けられていてもよい。この場合、一体で設けられたカナのうち、四番歯車３４２に噛み合う部分が第１ガンギカナ３５２を構成し、小秒歯車３６２に噛み合う部分が第２ガンギカナ３５３を構成する。なお、四番歯車３４２および小秒歯車３６２の回転軸方向における高さが同じであり、四番歯車３４２に噛み合う部分と、小秒歯車３６２に噛み合う部分とが同じ場合は、同じ部分が、第１ガンギカナ３５２および第２ガンギカナ３５３を構成する。
これによれば、回転軸３５１と、第１ガンギカナ３５２と、第２ガンギカナ３５３とを一体で形成できるため、例えば、第１ガンギカナ３５２および第２ガンギカナ３５３が別体で設けられており、第１ガンギカナ３５２が設けられた回転軸３５１に、第２ガンギカナ３５３を取り付ける場合と比べて、ガンギ車３５の組み立て工程を簡略化できる。
【００４９】
前記実施形態では、平面視において、小秒車３６の回転軸３６１は、四番車３４の回転軸３４３とガンギ車３５の回転軸３５１とを結ぶ直線上に位置しているが、本発明はこれに限定されない。すなわち、平面視において、小秒車３６の回転軸３６１は、ガンギ車３５の回転軸３５１から見て、どの方向に位置してもよい。
【符号の説明】
【００５０】
１…時計（機械式時計）、２…ムーブメント（時計用ムーブメント）、１２…文字板、２１…小秒針、２２…分針、２３…時針、３０…基本輪列、３１…香箱車、３２…二番車、３３…三番車、３４…四番車、３５…ガンギ車、３６…小秒車、３７…アンクル、３８…テンプ、４０…手動巻上機構、４１…巻真、４２…きち車、４４…丸穴車、４５〜４７…角穴伝え車、４８…角穴車、５０…自動巻上機構、５１…回転錘、５２…ベアリング、５３…偏心車、５４…爪レバー、５５…伝え車、６１…地板、７１…分車、７２…筒車、３１１…香箱真、３１２…香箱歯車、３１３…香箱蓋、３２１…二番カナ、３２２…二番歯車、３２３，３３３，３４３，３５１，３６１，７１２，７２２…回転軸、３３１…三番カナ、３３２…三番歯車、３４１…四番カナ、３４２…四番歯車、３５２…第１ガンギカナ（第１カナ）、３５３…第２ガンギカナ（第２カナ）、３５４…ガンギ歯車、３６２…小秒歯車、５２１…外輪、５２２…回転錘カナ、５３１…偏心歯車、５５１…伝え歯車、５５２…伝えカナ、７１１…分歯車、７１３…分カナ、７２１…筒歯車、Ｄ１〜Ｄ３…距離。
【図１】
2018096816.tif 000003
【図２】
2018096816.tif 000004
【図３】
2018096816.tif 000005
【図４】
2018096816.tif 000006